(57)【要約】【課題】  室外熱交換器への着霜を回避することができる空気調和装置を提供すること。【解決手段】  空気調和装置（１）が備える制御装置（４０）は、暖房運転時に冷媒温度センサ（６１，６２）により検出された冷媒温度（Ｔｄｅｆ）が室外熱交換器（１３）への着霜が予測される温度の上限値として予め定められる着霜回避基準温度（Ｔ０）未満である状態が所定時間継続したとき、冷媒温度（Ｔｄｅｆ）が低いほどバイパス配管（３８）を流れる冷媒の流量が多くなるように弁装置（５１，５２）を制御する着霜回避運転制御処理を実行するように構成される。【選択図】  図２
2020176732.tif 000002
【特許請求の範囲】
【請求項１】
吸入口及び吐出口を備える圧縮機と、
第一ポート、第二ポート、第三ポート、及び第四ポートを有し、前記第一ポートが前記圧縮機の前記吐出口に第一配管を介して接続され、暖房運転時に前記第一ポートと前記第二ポートが連通するとともに前記第三ポートと前記第四ポートが連通し、冷房運転時に前記第一ポートと前記第三ポートが連通するとともに前記第二ポートと前記第四ポートが連通するように、各ポートの連通状態が切り替え可能に構成される四方弁と、
前記四方弁の前記第二ポートに第二配管を介して接続された室内熱交換器と、
前記四方弁の前記第三ポートに第三配管を介して接続されるとともに中間配管を介して前記室内熱交換器に接続された室外熱交換器と、
前記四方弁の前記第四ポートにアキュムレータ入口配管を介して接続されるとともに、アキュムレータ出口配管を介して前記圧縮機の前記吸入口に接続されたアキュムレータと、
前記第一配管と前記アキュムレータ入口配管とを接続するバイパス配管と、
前記バイパス配管に介装され、前記バイパス配管を流れる冷媒の流量を調整可能な弁装置と、
前記弁装置を制御する制御装置と、
前記室外熱交換器を流れる冷媒温度を検出する冷媒温度センサと、
を備え、
前記制御装置は、暖房運転時に、前記冷媒温度センサにより検出された冷媒温度が前記室外熱交換器への着霜が予測される温度の上限値として予め定められる着霜回避基準温度未満である状態が所定時間継続したとき、前記冷媒温度センサにより検出された冷媒温度が低いほど前記バイパス配管を流れる冷媒の流量が多くなるように前記弁装置を制御する着霜回避運転制御処理を実行するように構成される、空気調和装置。
【請求項２】
請求項１に記載の空気調和装置において、
前記着霜回避運転制御処理は、前記冷媒温度センサにより検出された冷媒温度が、前記室外熱交換器に着霜しないと判断することができる温度として予め定められる着霜回避終了温度以上であるとき、又は、前記着霜回避運転制御処理の実行時間が予め定められる設定時間を経過したときに、終了する、空気調和装置。
【請求項３】
請求項１又は２に記載の空気調和装置において、
前記制御装置は、外気温度が、前記着霜回避運転制御処理の実行により前記室外熱交換器への着霜を回避することができないと判断される温度として予め定められる着霜回避不可温度未満であるときには、前記着霜回避運転制御処理を実行しないように構成される、空気調和装置。
【請求項４】
請求項１乃至３のいずれか１項に記載の空気調和装置において、
前記弁装置は、前記バイパス配管に並列接続した流量調整弁及び開閉弁を有し、
前記制御装置は、前記着霜回避運転制御処理の実行中に前記開閉弁の開閉作動及び前記流量調整弁の開度の調整を併用して、前記バイパス配管を流れる冷媒の流量を調整する、空気調和装置。
【発明の詳細な説明】
【技術分野】
【０００１】
本発明は、空気調和装置に関する。
【背景技術】
【０００２】
空気調和装置が備える室外熱交換器は、その内部を流れる冷媒と外気が熱交換することができるように構成される。また、空気調和装置が暖房運転を行っているとき、室外熱交換器を流れる冷媒は、外気から熱を奪うことにより蒸発する。つまり、暖房運転時には室外熱交換器は蒸発器として機能する。室外熱交換器にて冷媒が外気から熱を奪うためには、室外熱交換器を流れる冷媒温度が外気温度よりも低く設定されていなければならない。従って、場合によっては冷媒温度が０℃未満にされる。冷媒温度が０℃未満になると、室外熱交換器に着霜する。室外熱交換器に着霜すると、室外熱交換器を通過する外気の通風面積が小さくなるため熱交換効率が低下する。このため、室外熱交換器に着霜した場合に除霜運転がなされて室外熱交換器に着霜した霜が溶かされる。
【０００３】
一般的な除霜運転は、運転状態を暖房運転状態から冷房運転状態に切り換えることによりなされる。これにより圧縮機の吐出口と室外熱交換器が四方弁を介して接続される。よって、室外熱交換器に圧縮機から高温高圧のガス冷媒が流入し、室外熱交換器において冷媒が凝縮し、凝縮熱が発生することで除霜がなされる（例えば特許文献１参照）。また、除霜運転時に運転状態を暖房運転状態に維持したまま、圧縮機から吐出されたガス冷媒の一部を直接室外熱交換器に流入させる除霜運転も提案されている（例えば特許文献２参照）
【先行技術文献】
【特許文献】
【０００４】
【特許文献１】特開平０７−１７４４４１号公報
【特許文献２】国際公開第２０１６／１７０６８０号明細書
【発明の概要】
【０００５】
（発明が解決しようとする課題）
上記特許文献１及び２に記載の除霜方法によれば、圧縮機から吐出されたガス冷媒の全部または一部を利用して室外熱交換器を除霜するので、空調に利用できる冷媒量が減少する。このため除霜運転中の暖房効率が低下する。また、室外熱交換器に付着した多量の霜を溶かすために長時間を要する。よって、除霜運転はできるだけ実施されないのがよい。
【０００６】
除霜運転を回避するためには、室外熱交換器への着霜を回避する方策が必要であるが、従来では室外熱交換器への着霜を回避する方策がなされていない。そこで、本発明は、室外熱交換器への着霜を回避することができる空気調和装置を提供することを目的とする。
【課題を解決するための手段】
【０００７】
本発明は、吸入口（１１ａ）及び吐出口（１１ｂ）を備える圧縮機（１１）と、第一ポート（１２ａ）、第二ポート（１２ｂ）、第三ポート（１２ｃ）、及び第四ポート（１２ｄ）を有し、第一ポートが圧縮機の吐出口に第一配管（３１）を介して接続され、暖房運転時に第一ポートと第二ポートが連通するとともに第三ポートと第四ポートが連通し、冷房運転時に第一ポートと第三ポートが連通するとともに第二ポートと第四ポートが連通するように、各ポートの連通状態が切り替え可能に構成される四方弁（１２）と、四方弁の第二ポートに第二配管（３２）を介して接続された室内熱交換器（１７）と、四方弁の第三ポートに第三配管（３３）を介して接続されるとともに中間配管（３４）を介して室内熱交換器に接続された室外熱交換器（１３）と、四方弁の第四ポートにアキュムレータ入口配管（３５）を介して接続されるとともに、アキュムレータ出口配管（３６）を介して圧縮機の吸入口に接続されたアキュムレータ（１５）と、第一配管とアキュムレータ入口配管とを接続するバイパス配管（３８）と、バイパス配管に介装され、バイパス配管を流れる冷媒の流量を調整可能な弁装置（５１，５２）と、弁装置を制御する制御装置（４０）と、室外熱交換器を流れる冷媒温度を検出する冷媒温度センサ（６１，６２）と、を備え、制御装置は、暖房運転時に、冷媒温度センサにより検出された冷媒温度が室外熱交換器への着霜が予測される温度の上限値として予め定められる着霜回避基準温度（Ｔ０）未満である状態が所定時間継続したとき、冷媒温度センサにより検出された冷媒温度が低いほどバイパス配管を流れる冷媒の流量が多くなるように弁装置を制御する着霜回避運転制御処理を実行するように構成される、空気調和装置（１）を提供する。
【０００８】
本発明によれば、着霜回避運転制御処理の実行により、着霜回避運転が実施される。この着霜回避運転では、圧縮機の吐出口から吐出された高温高圧のガス冷媒の一部がバイパス配管を通って圧縮機の吸入口に吸入される。このため圧縮機の吸入口から吸入される冷媒の温度が上昇し、これにより冷媒回路内を流れる冷媒温度が上昇する。そのため室外熱交換器を通る冷媒温度も上昇する。その結果、室外熱交換器への着霜が回避され、或いは室外熱交換器にわずかに着霜した場合に速やかに除霜することができる。
【０００９】
また、着霜回避運転制御処理は、室外熱交換器に実際に着霜したときではなく、冷媒温度センサにより検出される室外熱交換器を流れる冷媒の温度が室外熱交換器への着霜が将来的に予測される温度の上限値として予め定められる着霜回避基準温度未満である状態が、所定時間継続したときに、実行される。このため、着霜回避運転の開始時には、室外熱交換器に未だ着霜していない状態であるか、或いは室外熱交換器に僅かに着霜している状態であると考えられる。つまり、着霜回避運転は、室外熱交換器に既に多量に付着した霜を除くような除霜運転ではなく、室外熱交換器に着霜していないか或いは僅かに着霜した状態において冷媒の温度を上昇させるための運転である。このため霜が付着している室外熱交換器を除霜する場合に行われる除霜運転に比較して冷媒温度を上昇させやすく、それゆえに短時間で終了する。よって暖房運転時における快適性を確保することができる。
【００１０】
さらに、着霜回避運転制御処理では、室外熱交換器を流れる冷媒の温度が低いほどバイパス配管を流れる冷媒の流量が多くなるように、バイパス配管に介装された弁装置が制御される。このため、室外熱交換器の着霜の回避に用いられる冷媒量を最小限に抑えることができる。よって、さほど暖房効率を低下させることなく、室外熱交換器への着霜を回避することができる。
【００１１】
着霜回避運転制御処理は、冷媒温度センサにより検出された冷媒温度が、室外熱交換器に着霜しないと判断することができる温度として予め定められる着霜回避終了温度（Ｔｓ）以上であるとき（Ｓ４２：Ｙｅｓ）、又は、着霜回避運転制御処理の実行時間が予め定められる設定時間（τ２ｔｈ）を経過したとき（Ｓ４１：Ｙｅｓ）に、終了するとよい。これによれば、予め設定した冷媒温度条件あるいは予め設定した実行時間に基づいて速やかに着霜回避運転を終了して通常の暖房運転に移行させることにより、空調の快適性を確保することができる。
【００１２】
制御装置は、外気温度（Ｔｏｕｔ）が、着霜回避運転制御処理の実行により室外熱交換器への着霜を回避することができないと判断される温度として予め定められる着霜回避不可温度未満であるとき（Ｓ１２：Ｎｏ）には、着霜回避運転制御処理を実行しないように構成されるとよい。外気温度が極端に低い場合には、本発明に係る着霜回避運転制御処理を実行しても、冷媒温度が０°未満となって、室外熱交換器に着霜する可能性が高い。よって、このような場合に着霜回避運転制御処理を実行せずに除霜運転を実行することにより、結果として素早く室外熱交換器を除霜することができる。
【００１３】
弁装置は、バイパス配管に並列接続した流量調整弁（５２）及び開閉弁（５１）を有していてもよい。この場合、制御装置は、着霜回避運転制御処理の実行中に開閉弁の開閉作動及び流量調整弁の開度の調整を併用して、バイパス配管を流れる冷媒の流量を調整するとよい。これによれば、開閉弁の開閉作動及び流量調整弁の開度の調整を併用することにより、バイパス配管を流れる冷媒流量の調整幅を大きくすることができる。
【図面の簡単な説明】
【００１４】
【図１】図１は、本実施形態に係る空気調和装置の概略構成を示す図である。
【図２】図２は、着霜回避運転開始判断処理ルーチンの流れを示すフローチャートである。
【図３】図３は、着霜回避運転制御処理ルーチンの流れを示すフローチャートである。
【図４】図４は、流量調整弁制御マップの一例を示す図である。
【図５】図５は、着霜回避運転終了判断処理ルーチンの流れを示すフローチャートである。
【発明を実施するための形態】
【００１５】
以下、本発明の実施形態について図面を参照して説明する。図１は、本実施形態に係る空気調和装置の概略構成を示す図である。図１に示すように、空気調和装置１は、圧縮機１１と、四方弁１２と、室外熱交換器１３と、サブ熱交換器１４と、アキュムレータ１５と、室外側電子膨張弁１６と、室内熱交換器１７と、室内側電子膨張弁１８と、エンジン２０と、複数の冷媒配管３１〜３８と、制御装置４０とを備える。エンジン２０及び制御装置４０を除く上記の構成要素が、冷媒配管としての第一配管３１、第二配管３２、第三配管３３、中間配管３４、アキュムレータ入口配管３５、アキュムレータ出口配管３６、分岐配管３７、バイパス配管３８により接続される。このようにして冷媒回路が構成される。
【００１６】
圧縮機１１はエンジン２０の出力軸に接続されており、エンジン２０からの駆動力を受けて作動する。圧縮機１１は吸入口１１ａ及び吐出口１１ｂを有する。圧縮機１１は、作動することにより吸入口１１ａから冷媒ガスを吸入し、内部で冷媒ガスを圧縮し、圧縮した冷媒ガスを吐出口１１ｂから吐出する。
【００１７】
圧縮機１１の吐出口１１ｂは第一配管３１の一端に接続される。第一配管３１の他端に四方弁１２が接続される。四方弁１２は、第一ポート１２ａ、第二ポート１２ｂ、第三ポート１２ｃ、及び、第四ポート１２ｄを有する。圧縮機１１の吐出口１１ｂは、四方弁１２の第一ポート１２ａに第一配管３１を介して接続される。四方弁１２の第二ポート１２ｂには第二配管３２を介して室内熱交換器１７が接続される。四方弁１２の第三ポート１２ｃには第三配管３３を介して室外熱交換器１３が接続される。また、室外熱交換器１３は、中間配管３４を介して室内熱交換器１７に接続される。四方弁１２の第四ポート１２ｄには、アキュムレータ入口配管３５を介してアキュムレータ１５が接続される。
【００１８】
四方弁１２は、第一ポート１２ａが第二ポート１２ｂに連通するとともに第三ポート１２ｃが第四ポート１２ｄに連通する暖房時切換状態と、第一ポート１２ａが第三ポート１２ｃに連通するとともに第二ポート１２ｂが第四ポート１２ｄに連通する冷房時切換状態とを、選択的に実現することができるように構成される。
【００１９】
第三配管３３を介して四方弁１２の第三ポート１２ｃに接続された室外熱交換器１３は、その内部を流通する冷媒と外気とを熱交換させる。また、第二配管３２を介して四方弁１２の第二ポート１２ｂに接続された室内熱交換器１７は、その内部を流通する冷媒と室内空気とを熱交換させる。
【００２０】
また、室外熱交換器１３と室内熱交換器１７とを接続する中間配管３４の位置Ａから位置Ｂまでの間の部分は、２つの配管（配管Ｌ１、配管Ｌ２）に分岐している。配管Ｌ１には一方向弁１９が介装され、配管Ｌ２には室外側電子膨張弁１６が介装される。冷房運転時には冷媒は配管Ｌ１を流れ、暖房運転時には冷媒は配管Ｌ２を流れる。一方向弁１９は、位置Ａから位置Ｂに向かう冷媒の流れを許容し、位置Ｂから位置Ａに向かう冷媒の流れを遮断する。室外側電子膨張弁１６は、そこを流れる冷媒を膨張させる。室外側電子膨張弁１６は開度調整可能な流量調整弁である。
【００２１】
アキュムレータ入口配管３５を介して四方弁１２の第四ポート１２ｄに接続されたアキュムレータ１５は、さらにアキュムレータ出口配管３６を介して圧縮機１１の吸入口１１ａに接続される。このアキュムレータ１５は、アキュムレータ入口配管３５側から冷媒を導入し、導入した冷媒を気液分離する。アキュムレータ１５内で液冷媒から分離されたガス冷媒が、アキュムレータ出口配管３６を経由して圧縮機１１の吸入口１１ａに吸入される。
【００２２】
また、アキュムレータ入口配管３５と中間配管３４が分岐配管３７により接続される。分岐配管３７にサブ熱交換器１４が介装される。分岐配管３７を流れる冷媒は、サブ熱交換器１４に入り、サブ熱交換器１４にて、エンジン２０を冷却することにより加熱された冷却水と熱交換する。分岐配管３７を流れる冷媒の流量は、分岐配管３７に介装された分岐流量調整弁３７ａにより調整される。
【００２３】
また、第一配管３１とアキュムレータ入口配管３５がバイパス配管３８により接続される。バイパス配管３８は、その途中の位置Ｃ及び位置Ｄの間において、第一バイパス配管３８１と第二バイパス配管３８２とに分岐している。そして、第一バイパス配管３８１の途中に電磁開閉弁５１が介装され、第二バイパス配管３８２の途中に流量調整弁５２が介装される。従って、電磁開閉弁５１と流量調整弁５２は、バイパス配管３８に並列接続されていることになる。電磁開閉弁５１と流量調整弁５２が、本発明の弁装置に相当する。
【００２４】
電磁開閉弁５１は、開状態又は閉状態に設定することができ、開状態である場合には第一バイパス配管３８１内への冷媒の流通が許可され、閉状態である場合には第一バイパス配管３８１内への冷媒の流通が遮断されるように構成される。流量調整弁５２は、開度調整可能であり、第二バイパス配管３８２内を流通する冷媒の流量を調整することができるように構成される。
【００２５】
制御装置４０は、ＣＰＵ，ＲＯＭ，ＲＡＭ等からなるマイクロコンピュータを主要構成とし、少なくとも、エンジン２０及び圧縮機１１の駆動、四方弁１２の切換動作、各膨張弁１６，１８の開度、電磁開閉弁５１の開閉状態、流量調整弁５２の開度、分岐流量調整弁３７ａの開度、を制御する。
【００２６】
また、冷媒回路の各所に温度センサ及び圧力センサが取り付けられる。これらの各種センサには、第一温度センサ６１、第二温度センサ６２、および外気温センサ６３が含まれる。第一温度センサ６１は、中間配管３４のうち室外熱交換器１３の近傍位置に設けられ、中間配管３４を流通する冷媒の温度を検出する。第二温度センサ６２は、第三配管３３のうち室外熱交換器１３の近傍位置に設けられ、第三配管３３を流通する冷媒の温度を検出する。外気温センサ６３は、室外熱交換器１３の近傍における外気温度を検出する。各温度センサにより検出された温度情報は、制御装置４０に入力される。
【００２７】
次に、上記構成の空気調和装置１の空調動作について説明する。本実施形態に係る空気調和装置１は、空調モードが暖房モード（暖房運転状態）であるか冷房モード（冷房運転状態）であるかをユーザがリモコンなどを操作することにより設定することができるようにされている。そして、設定された空調モードに従って、空気調和装置１が空調運転する。
【００２８】
また、空気調和装置１の空調モードが暖房モードであるときに、四方弁１２の切換状態が暖房時切換状態になるように、制御装置４０が四方弁１２の切換動作を制御する。また、空気調和装置１の空調モードが冷房モードであるときに、四方弁１２の切換状態が冷房時切換状態になるように、制御装置４０が四方弁１２の切換動作を制御する。なお、図１において、冷房運転（冷房モードによる運転）時における冷媒の主な流れが実線の矢印により示され、暖房運転（暖房モードによる運転）時における冷媒の主な流れが点線の矢印により示される。
【００２９】
まず、暖房運転について説明する。エンジン２０の駆動により圧縮機１１が作動すると、圧縮機１１は、アキュムレータ出口配管３６内の低圧ガス冷媒を吸入口１１ａから吸入するとともに吸入した低圧ガス冷媒を圧縮して高温高圧ガス冷媒を生成する。そして、生成した高温高圧ガス冷媒を吐出口１１ｂから吐出する。吐出口１１ｂから吐出された高温高圧ガス冷媒は第一配管３１を流れて四方弁１２の第一ポート１２ａに入る。なお、通常の暖房運転時には、第一配管３１に接続したバイパス配管３８に介装されている電磁開閉弁５１が閉状態にされるとともに流量調整弁５２が全閉状態にされる。
【００３０】
四方弁１２は、空気調和装置１の空調モードが暖房モードであるときには暖房時切換状態になるように制御装置４０によりその切換動作が制御されているから、暖房運転時には、四方弁１２の第一ポート１２ａが第二ポート１２ｂに連通する。そのため第一配管３１から四方弁１２の第一ポート１２ａに入った高温高圧ガス冷媒は、第二ポート１２ｂから四方弁１２を流出して第二配管３２に流れる。
【００３１】
第二配管３２内の冷媒は室内熱交換器１７に流入する。室内熱交換器１７に流入した高温高圧ガス冷媒は室内熱交換器１７内を流通する間に室内空気と熱交換し、室内に熱を吐き出して凝縮する。つまり、暖房運転時には室内熱交換器１７が凝縮器として機能する。このとき高温高圧ガス冷媒から吐き出された熱によって室内空気が暖められて、室内が暖房される。
【００３２】
室内空気に熱を吐き出して凝縮した冷媒は一部液化し、室内熱交換器１７から中間配管３４に流出する。そして、中間配管３４に介装された室内側電子膨張弁１８で膨張することにより中圧化され、さらに中間配管３４の配管Ｌ２を流れ、配管Ｌ２に介装された室外側電子膨張弁１６を通ることにより冷媒が低圧化される。室外側電子膨張弁１６を通った冷媒は、室外熱交換器１３に流入する。室外熱交換器１３に流入した冷媒は室外熱交換器１３内を流通する間に外気の熱を奪って蒸発する。つまり、暖房運転時には室外熱交換器１３が蒸発器として機能する。
【００３３】
外気の熱を奪って蒸発した冷媒は一部気化して室外熱交換器１３から第三配管３３に流出し、その後、四方弁１２の第三ポート１２ｃに入る。空調モードが暖房モードであるときには、四方弁１２の第三ポート１２ｃが第四ポート１２ｄに連通しているから、第三配管３３から四方弁１２の第三ポート１２ｃに入った冷媒は第四ポート１２ｄから四方弁１２を流出してアキュムレータ入口配管３５を流れる。アキュムレータ入口配管３５を流れた冷媒はアキュムレータ１５に導入される。アキュムレータ１５では導入された冷媒が気液分離される。気液分離した冷媒のうちガス冷媒がアキュムレータ出口配管３６に流出する。そして、アキュムレータ出口配管３６内のガス冷媒が圧縮機１１の吸入口１１ａに帰還する。このような冷媒の循環サイクルが繰り返されることにより、室内暖房が継続される。
【００３４】
次に、冷房運転について説明する。圧縮機１１が作動すると、圧縮機１１の吐出口１１ｂから第一配管３１に高温高圧ガス冷媒が吐出される。高温高圧ガス冷媒は第一配管３１を流れて四方弁１２の第一ポート１２ａに入る。
【００３５】
四方弁１２は、空気調和装置の空調モードが冷房モードであるときには冷房時切換状態になるように制御装置４０によりその切換動作が制御されているから、冷房運転時には、四方弁１２の第一ポート１２ａが第三ポート１２ｃに連通する。そのため第一配管３１から四方弁１２の第一ポート１２ａに入った高温高圧ガス冷媒は、第三ポート１２ｃから四方弁１２を流出して第三配管３３に流れる。第三配管３３に流れた高温高圧ガス冷媒は室外熱交換器１３に流入する。室外熱交換器１３に流入した冷媒は室外熱交換器１３内を流通する間に外気に熱を吐き出して凝縮する。つまり、冷房運転時には室外熱交換器１３が凝縮器として機能する。
【００３６】
外気に熱を吐き出して凝縮した冷媒は一部液化し、室外熱交換器１３から中間配管３４に流出する。中間配管３４に流出した液冷媒（或いは気液二相冷媒）は、配管Ｌ１及び配管Ｌ１に介装された一方向弁１９を経由して室内側電子膨張弁１８を通る。この室内側電子膨張弁１８で冷媒が膨張することにより蒸発しやすいように低圧化される。その後、冷媒は室内熱交換器１７に流入する。室内熱交換器１７に流入した冷媒は室内熱交換器１７内を流通する間に室内空気の熱を奪って蒸発する。つまり、室内熱交換器１７は冷房運転時に蒸発器として機能する。このとき冷媒が室内空気の熱を奪うことによって室内空気が冷やされて、室内が冷房される。
【００３７】
室内空気の熱を奪って蒸発した冷媒は一部気化し、室内熱交換器１７から第二配管３２に流出し、さらに四方弁１２の第二ポート１２ｂに入る。空調モードが冷房モードであるときには、四方弁１２の第二ポート１２ｂが第四ポート１２ｄに連通しているから、第二配管３２から四方弁１２の第二ポート１２ｂに入った冷媒は、第四ポート１２ｄから四方弁１２を流出してアキュムレータ入口配管３５に流入する。アキュムレータ入口配管３５を流れた冷媒はアキュムレータ１５に導入される。アキュムレータ１５では導入された冷媒が気液分離され、分離された低温低圧のガス冷媒がアキュムレータ出口配管３６に流出する。そして、アキュムレータ１５からアキュムレータ出口配管３６内に流入したガス冷媒が、圧縮機１１の吸入口１１ａに帰還する。このような冷媒の循環サイクルが繰り返されることにより、室内冷房が継続される。
【００３８】
ところで、暖房モードによる空調運転時、すなわち暖房運転時には、上記したように室外熱交換器１３が冷媒の蒸発器として機能する。室外熱交換器１３を流れる冷媒が外気から熱を奪って蒸発するためには、室外熱交換器１３を流れる冷媒の温度を外気よりも低く設定しなければならない。また、暖房運転は通常冬季に実施されるので、暖房運転中の外気温度は低く、場合によっては外気温度が０℃程度或いはそれ以下であることもある。よって、外気温度が０℃程度或いはそれ以下である場合、室外熱交換器１３を流れる冷媒の温度は０℃未満にされる場合がある。室外熱交換器１３を流れる冷媒の温度が０℃未満になると室外熱交換器１３に着霜する。室外熱交換器１３に着霜したまま暖房運転を継続した場合に室外熱交換器１３の熱交換効率が悪化する。よって、通常の空気調和装置においては、室外熱交換器の着霜を確認した場合に除霜運転が実施される。しかしながら、除霜運転中には暖房効率が低下するため、できるだけ除霜運転の実施を回避したいという要望がある。この点に関し、本実施形態においては、室外熱交換器１３の着霜を確認した場合ではなく、室外熱交換器１３への着霜が予測される場合に、着霜回避運転が実施されることにより、室外熱交換器１３への着霜が回避され、或いは室外熱交換器１３にわずかに着霜した場合でも速やかに除霜がなされる。これにつき、以下に説明する。
【００３９】
暖房運転中に、制御装置４０は、着霜回避運転開始判断処理を実行する。図２は、制御装置４０が実行する着霜回避運転開始判断処理ルーチンの流れを示すフローチャートである。このルーチンが起動すると、まず、制御装置４０は、図２のステップ（以下、ステップをＳと略記する）１１にて、外気温センサ６３により検出された最新の外気温度Ｔｏｕｔが２℃以上であるか否かを判断する。この判断にて外気温度Ｔｏｕｔが２℃未満であると判断された場合（Ｓ１１：Ｎｏ）、制御装置４０はＳ１２に処理を進める。一方、この判断にて外気温度Ｔｏｕｔが２℃以上であると判断された場合（Ｓ１１：Ｙｅｓ）制御装置４０は、Ｓ１４に処理を進める。
【００４０】
Ｓ１２では、外気温センサ６３により検出された最新の外気温度Ｔｏｕｔが−５℃以上且つ２℃未満の範囲内にあるか否かを判断する。この判断にて外気温度Ｔｏｕｔが−５℃以上且つ２℃未満の範囲内に無いと判断された場合（Ｓ１２：Ｎｏ）、制御装置４０はＳ１８に処理を進める。Ｓ１８では、制御装置４０は、着霜回避運転開始条件が不成立であると判断する。その後、制御装置４０はこのルーチンを終了する。
【００４１】
なお、Ｓ１２の判断結果がＮｏである場合は、外気温が−５℃未満の場合である。このように外気温が非常に低い場合には、後述する着霜回避運転制御処理の実行によっては室外熱交換器１３への着霜を回避することができないと判断される。よって、この場合には、着霜回避運転制御処理は実行されず、室外熱交換器１３への着霜が確認されたときに除霜運転が実施される。本実施形態における−５℃という外気温が、本発明の着霜回避不可温度に相当する。従って、制御装置４０は、外気温度Ｔｏｕｔが、着霜回避運転制御処理の実行により室外熱交換器１３への着霜を回避することができないと判断される温度として予め定められる着霜回避不可温度（本実施形態では−５℃）未満であるときには、着霜回避運転制御処理を実行しないように構成される。なお、除霜運転では、四方弁１２の切換状態が冷房時切換状態にされる。このため圧縮機１１から吐出した高温高圧の冷媒が室外熱交換器１３に流入する。室外熱交換器１３に流入した冷媒は室外熱交換器１３にて凝縮して凝縮熱が発生する。発生した凝縮熱によって室外熱交換器１３が加熱される。これにより室外熱交換器１３が除霜される。
【００４２】
Ｓ１２にて、外気温度Ｔｏｕｔが−５℃以上且つ２℃未満の範囲内にあると判断された場合（Ｓ１２：Ｙｅｓ）、制御装置４０は、Ｓ１３に処理を進める。Ｓ１３では、制御装置４０は、着霜回避運転優先モードが選択されているか否かを判断する。ここで、制御装置４０には、後述する着霜回避運転を優先的に実施するかしないかを選択することができるスイッチ（例えばディップスイッチ）が設けられている。ユーザ或いはオペレータがこのディップスイッチをＯＮ操作することにより、着霜回避運転優先モードが選択される。一方、ユーザ或いはオペレータがこのディップスイッチをＯＦＦ操作することにより、着霜回避運転非優先モードが選択される。
【００４３】
Ｓ１３にて、着霜回避運転優先モードが選択されていない（すなわち着霜回避運転非優先モードが選択されている）と判断した場合（Ｓ１３：Ｎｏ）、制御装置４０は、Ｓ１８に処理を進めて、着霜回避運転開始条件が不成立であると判断する。その後、制御装置４０はこのルーチンを終了する。一方、Ｓ１３にて、着霜回避運転優先モードが選択されていると判断した場合（Ｓ１３：Ｙｅｓ）、制御装置４０は、Ｓ１４に処理を進める。
【００４４】
制御装置４０は、上記のようにＳ１１の判断結果がＹｅｓである場合（外気温度Ｔｏｕｔが２℃以上である場合）、及び、Ｓ１３の判断結果がＹｅｓである場合（外気温が−５℃以上２℃未満であって且つ着霜回避運転優先モードが選択されている場合）に、Ｓ１４に処理を進める。このＳ１４の処理では、タイマτ１のカウントが開始される。次いで、制御装置４０は、Ｓ１５にて、デフロスト温度Ｔｄｅｆが、着霜回避基準温度Ｔ０未満であるか否かを判断する。ここで、デフロスト温度Ｔｄｅｆは、第一温度センサ６１により検出された温度Ｔ１と第二温度センサ６２により検出された温度Ｔ２のうち、より温度の低い方の温度である。暖房運転時には、第一温度センサ６１により検出された温度Ｔ１は、室外熱交換器１３に流入する液冷媒の温度であり、第二温度センサ６２により検出された温度Ｔ２は、室外熱交換器１３から流出するガス冷媒の温度である。従って、デフロスト温度Ｔｄｅｆは、室外熱交換器１３を流れる冷媒温度であると言える。また、着霜回避基準温度Ｔ０とは、暖房運転時に室外熱交換器１３への着霜が将来的に予測されるデフロスト温度として予め定められる温度の上限値である。つまり、現在は室外熱交換器１３に着霜していないと考えられるが、その温度が継続した場合にはやがて室外熱交換器１３に着霜する可能性が高いと判断されるようなデフロスト温度Ｔｄｅｆの上限値が、着霜回避基準温度Ｔ０である。この着霜回避基準温度Ｔ０は、ほぼ確実に室外熱交換器１３に着霜する温度である０℃以上の温度である。また、デフロスト温度Ｔｄｅｆが２℃を越えると、室外熱交換器１３に着霜する可能性がかなり低くなる。従って、着霜回避基準温度Ｔ０は２℃以下であるのがよい。つまり、着霜回避基準温度Ｔ０は、０℃以上であり２℃以下であるのがよい。より好ましくは、着霜回避基準温度Ｔ０は、１℃以上であり２℃以下であるのがよい。
【００４５】
Ｓ１５にて、デフロスト温度Ｔｄｅｆが着霜回避基準温度Ｔ０以上であると判断した場合（Ｓ１５：Ｎｏ）、制御装置４０は、室外熱交換器１３を流れる冷媒温度（デフロスト温度Ｔｄｅｆ）が比較的高いために室外熱交換器１３に着霜する可能性が低いと判断し、Ｓ１８に処理を進めて、着霜回避運転開始条件が不成立であると判断する。その後、制御装置４０はこのルーチンを終了する。一方、Ｓ１５にて、デフロスト温度Ｔｄｅｆが着霜回避基準温度Ｔ０未満であると判断した場合（Ｓ１５：Ｙｅｓ）、制御装置４０は、Ｓ１６に処理を進める。
【００４６】
Ｓ１６では、制御装置４０は、タイマによる計測時間τ１が、本発明の所定時間に相当する閾値時間τ１ｔｈ以上であるか否かを判断する。閾値時間τ１ｔｈは任意に設定することができる。例えば閾値時間τ１ｔｈを２５分に設定することができる。タイマによる計測時間τ１が閾値時間τ１ｔｈ未満である場合（Ｓ１６：Ｎｏ）、制御装置はＳ１５に処理を戻す。一方、タイマによる計測時間τ１が閾値時間τ１ｔｈ以上である場合（Ｓ１６：Ｙｅｓ）、制御装置４０はＳ１７に処理を進めて、着霜回避運転開始条件が成立したと判断する。その後、制御装置４０は、このルーチンを終了する。
【００４７】
上記した着霜回避運転開始判断処理の流れからわかるように、着霜回避運転開始条件は、外気温が−５℃以上であり、デフロスト温度Ｔｄｅｆが着霜回避基準温度Ｔ０未満である状態が所定時間（閾値時間τ１ｔｈ）継続した場合に、成立する。
【００４８】
制御装置４０は、上記の着霜回避運転開始判断処理にて着霜回避運転開始条件が成立したと判断したときに、着霜回避運転を実施するための着霜回避運転制御処理を実行する。図３は、着霜回避運転制御処理ルーチンの流れを示すフローチャートである。このルーチンが起動すると、制御装置４０は、まず図３のＳ２１にて、バイパス配管３８に介装されている電磁開閉弁５１に閉作動信号を出力する。これにより電磁開閉弁５１が閉作動する。なお、既に電磁開閉弁５１が閉状態である場合には、その閉状態が維持される。
【００４９】
次いで、制御装置４０は、Ｓ２２にて、最新のデフロスト温度Ｔｄｅｆを取得し、続いてＳ２３にて、流量調整弁制御マップを参照して、流量調整弁５２の制御量Ｕを取得する。
【００５０】
図４は、流量調整弁制御マップの一例を示す図である。図４の横軸がデフロスト温度Ｔｄｅｆを表し、縦軸が制御量Ｕを表す。図４に示す流量調整弁制御マップによれば、デフロスト温度Ｔｄｅｆが温度Ｔａ未満であるときに制御量Ｕが＋Ｓ２に設定され、デフロスト温度Ｔｄｅｆが温度Ｔａ以上且つ温度Ｔｂ未満であるときに制御量Ｕが＋Ｓ１（＜Ｓ２）に設定され、デフロスト温度Ｔｄｅｆが温度Ｔｂ以上且つ温度Ｔｃ未満であるときに制御量Ｕが０に設定され、デフロスト温度Ｔｄｅｆが温度Ｔｃ以上且つ温度Ｔｄ未満であるときに制御量Ｕが−Ｓ１に設定され、デフロスト温度Ｔｄｅｆが温度Ｔｄ以上であるときに制御量Ｕが−Ｓ２（＜−Ｓ１）に設定される。ここで、本実施形態における流量調整弁５２の開度はステッピングモータにより調整され、上記の制御量Ｕは、現在のステッピングモータのステップ数からの増減ステップ数を表す。
【００５１】
制御装置４０は、Ｓ２３にて、上記のような流量調整弁制御マップを参照して制御量Ｕを取得した後に、Ｓ２４に処理を進めて、取得した制御量Ｕに基づいて流量調整弁５２の開度を調整する。具体的には、制御装置４０は、Ｓ２４にて、流量調整弁５２の開度調整用のステッピングモータのステップ数を、現在のステップ数からＳ２３にて取得した制御量Ｕにより表されるステップ数だけ増減させる。例えば、Ｓ２３にて取得した制御量Ｕが＋Ｓ１、＋Ｓ２である場合、ステッピングモータが正方向にＳ１ステップ或いはＳ２ステップ回転する。これにより流量調整弁５２の開度が増加する。また、Ｓ２３にて取得した制御量Ｕが−Ｓ１、−Ｓ２である場合、ステッピングモータが逆方向にＳ１ステップ或いはＳ２ステップ回転する。これにより流量調整弁５２の開度が減少する。なお、制御量Ｕが０である場合、ステッピングモータは回転しない。このため流量調整弁５２の現状の開度が維持される。
【００５２】
このようにしてＳ２４にて流量調整弁５２の開度を調整することにより、流量調整弁５２を介して、或いは後述するＳ２８の処理にて電磁開閉弁５１が開かれた場合には電磁開閉弁５１及び流量調整弁５２を介して、バイパス配管３８内を、圧縮機１１から吐出された高温高圧のガス冷媒の一部が流れる。こうしてバイパス配管３８を流れた高温高圧のガス冷媒は、バイパス配管３８からアキュムレータ入口配管３５に流入し、さらにアキュムレータ１５及びアキュムレータ出口配管３６を通って圧縮機１１の吸入口１１ａに導入される。これにより、圧縮機１１の吸入側における冷媒の圧力が上昇することで冷媒の蒸発温度が上昇し、冷媒回路内を流れる冷媒の温度が上昇する。その結果、室外熱交換器１３を流れる冷媒の温度も上昇する。このようにして室外熱交換器１３を流れる冷媒温度が上昇されることにより、室外熱交換器１３への着霜が回避され、或いは室外熱交換器１３に僅かに着霜している場合に速やかに除霜される。
【００５３】
Ｓ２４にて流量調整弁５２の開度を調整した制御装置４０は、続いてＳ２５にて、流量調整弁５２が全開であるか否かを判断する。流量調整弁５２が全開である場合（Ｓ２５：Ｙｅｓ）、制御装置４０は、Ｓ２８に処理を進めて、流量調整弁５２を全閉作動させるとともに、電磁開閉弁５１を開作動させる。ここで、流量調整弁５２が全開状態である場合に流量調整弁５２を通ってバイパス配管３８を流れる冷媒流量と、開状態の電磁開閉弁５１を通ってバイパス配管３８を流れる冷媒流量は、ほぼ等しくなるように、流量調整弁５２の開口径と電磁開閉弁５１の開口径が設定されている。従って、Ｓ２８の処理を実行した場合であっても、バイパス配管３８を流れる冷媒量は変動しない。Ｓ２８の処理の実行後、制御装置４０はＳ３０に処理を進める。
【００５４】
また、Ｓ２５にて、流量調整弁５２が全開ではないと判断した場合（Ｓ２５：Ｎｏ）、制御装置４０は、Ｓ２６に処理を進めて、流量調整弁５２が全閉であるか否かを判断する。流量調整弁５２が全閉ではない場合（Ｓ２６：Ｎｏ）、すなわち流量調整弁５２が全開でも全閉でもない場合、制御装置はＳ３０に処理を進める。一方、流量調整弁５２が全閉である場合（Ｓ２６：Ｙｅｓ）、制御装置４０はＳ２７に処理を進めて、電磁開閉弁５１が開状態であるか否かを判断する。電磁開閉弁５１が開状態でない場合、すなわち電磁開閉弁５１が閉状態である場合（Ｓ２７：Ｎｏ）、制御装置４０はＳ３０に処理を進める。なお、この場合、電磁開閉弁５１も流量調整弁５２も閉じていることになり、そのためバイパス配管３８内を冷媒が流れない。着霜回避運転制御処理中にこのような状況は発生しないと考えられるので、Ｓ２７の処理は省略しても良い。
【００５５】
一方、Ｓ２７にて電磁開閉弁５１が開状態であると判断した場合（Ｓ２７：Ｙｅｓ）、制御装置４０は、Ｓ２９に処理を進める。Ｓ２９では、制御装置４０は、流量調整弁５２を全開作動させるとともに、電磁開閉弁５１を閉作動させる。ここで、上述したように、流量調整弁５２が全開状態である場合に流量調整弁５２を通ってバイパス配管３８を流れる冷媒流量と、開状態の電磁開閉弁５１を通ってバイパス配管３８を流れる冷媒流量は、ほぼ等しくなるように、流量調整弁５２の開口径と電磁開閉弁５１の開口径が設定されている。従って、Ｓ２９の処理を実行した場合であっても、バイパス配管３８を流れる冷媒量は変動しない。Ｓ２９の処理の実行後、制御装置４０はＳ３０に処理を進める。
【００５６】
Ｓ２６、Ｓ２７の判定結果がＮｏである場合、Ｓ２８の処理を実行した場合、及び、Ｓ２９の処理を実行した場合、制御装置４０はＳ３０に処理を進める。Ｓ３０では、制御装置４０は、制御周期に達したか否かを判断する。この制御周期は任意に設定できる。例えば制御周期を３０秒に設定することができる。なお、制御周期が短すぎる場合、Ｓ２８の処理及びＳ２９の処理が頻繁に実行されて電磁開閉弁５１の寿命が低下する虞がある。そのため、制御周期は３０秒程度であるのがよい。
【００５７】
Ｓ３０にて制御周期に達していないと判断した場合（Ｓ３０：Ｎｏ）、制御装置４０はＳ３０の処理を繰り返す。そして、Ｓ３０にて制御周期に達したと判断した場合（Ｓ３０：Ｙｅｓ）、制御装置４０は、Ｓ２２に処理を戻し、Ｓ２２以降の処理を再度実行する。
【００５８】
制御装置４０が上記した着霜回避運転制御処理を実行することにより着霜回避運転が実施される。この着霜回避運転においては、デフロスト温度Ｔｄｅｆに応じて、圧縮機１１の吐出口１１ｂからバイパス配管３８を流れてアキュムレータ１５に向かう高温高圧のガス冷媒の流量が調整される。具体的には、デフロスト温度Ｔｄｅｆが低いほど、流量調整弁５１の開度が増加するように流量調整弁５１が制御される。このような流量調整弁５１の開度調整及び、流量調整弁５１の開度状態に応じた電磁開閉弁５１の開閉作動により、デフロスト温度Ｔｄｅｆが低いほどバイパス配管３８内を流れるガス冷媒の流量が多くなるように、電磁開閉弁５１の開閉状態及び流量調整弁５２の開度が制御される。このため、室外熱交換器１３への着霜を回避するために必要最小限のガス冷媒をバイパス配管３８に流すことができる。言い換えれば、着霜回避運転中には、最小限のガス冷媒を室外熱交換器１３への着霜の回避に用い、残りのガス冷媒を暖房運転に用いることにより、暖房効率（室外熱交換器の熱交換効率）をさほど低下させることなく、室外熱交換器１３への着霜を回避、或いは室外熱交換器１３に僅かに付着した霜を除霜することができる。
【００５９】
また、本実施形態に係るバイパス配管３８は、冷媒回路の低圧状態を回避するために圧縮機１１から吐出されたガス冷媒を直接アキュムレータ１５に送り込むためのバイパス回路として、すなわち、所謂ホットガスバイパスとして、従来から設けられている。このホットガスバイパスに流量調整弁を開閉弁と並列接続することにより、すなわち既設のホットガスバイパスを改良することにより、安価に室外熱交換器１３への着霜を回避することができる。
【００６０】
また、本実施形態に係るバイパス配管３８に介装された流量調整弁５２の開度は、上記した着霜回避運転時以外の状況においても調整することができる。例えば、冷媒回路内を流れる冷媒の容量の調整を行う際に、流量調整弁５２の開度を調整することができる。これにより、圧縮機を高価な可変容量タイプのものに変更することなく冷媒の容量調整を実施することができるといった付随的な効果を奏する。
【００６１】
また、本実施形態に係る着霜回避運転制御処理においては、電磁開閉弁５１が閉じているときに流量調整弁５２が全開にされた場合に、電磁開閉弁５１を開くとともに流量調整弁５２を全閉にする。これにより、その後さらにバイパス配管３８内を流れる冷媒流量を増加させる必要性が生じた場合、流量調整弁５２の開度を増加させることにより、その必要性に対処することができる。また、電磁開閉弁５１が開いているときに流量調整弁５２が全閉にされた場合に、電磁開閉弁５１を閉じるとともに流量調整弁５２を全開にする。これにより、その後さらにバイパス配管３８内を流れる冷媒流量を減少させる必要性が生じた場合、流量調整弁５２の開度を減少させることにより、その必要性に対処することができる。つまり、本実施形態によれば、着霜回避運転制御処理の実行中に、制御装置４０が電磁開閉弁５１の開閉作動及び流量調整弁５２の開度調整を併用することで、バイパス配管３８内を流れる冷媒流量の調整幅を大きくすることができる。
【００６２】
制御装置４０は、上記の着霜回避運転制御処理の実行中に、所定の周期で着霜回避運転終了条件判断処理を実行する。図５は、着霜回避運転終了判断処理ルーチンの流れを示すフローチャートである。このルーチンが起動すると、制御装置４０は、まず、図５のＳ４１にて、着霜回避運転の開始からの経過時間、すなわち着霜回避運転時間τ２が、予め定められる設定時間τ２ｔｈに達したか否かを判断する。設定時間τ２ｔｈは任意に設定することができる。設定時間τ２ｔｈは１０分〜２５分の間の時間であるのがよい。
【００６３】
Ｓ４１にて、着霜回避運転時間τ２が設定時間τ２ｔｈに達していると判断した場合（Ｓ４１：Ｙｅｓ）、制御装置４０はＳ４３に処理を進める。一方、Ｓ４１にて、着霜回避運転時間τ２が設定時間τ２ｔｈに達していないと判断した場合（Ｓ４１：Ｎｏ）、制御装置４０はＳ４２に処理を進める。Ｓ４２では、制御装置４０は、デフロスト温度Ｔｄｅｆが着霜回避終了温度Ｔｓ以上であるか否かを判断する。着霜回避終了温度Ｔｓは、室外熱交換器１３に当面は着霜しないと判断することができる温度として予め設定される。着霜回避終了温度Ｔｓは、７℃〜１０℃の間の温度に設定するのが良い。
【００６４】
Ｓ４２にて、デフロスト温度Ｔｄｅｆが着霜回避終了温度Ｔｓ未満であると判断した場合（Ｓ４２：Ｎｏ）、制御装置４０は、室外熱交換器１３への着霜の回避が終了していないと判断して、着霜回避運転を終了することなくこのルーチンを終了する。一方、デフロスト温度Ｔｄｅｆが着霜回避終了温度Ｔｓ以上であると判断した場合（Ｓ４２：Ｙｅｓ）、制御装置４０はＳ４３に処理を進める。Ｓ４３では、制御装置４０は、着霜回避運転制御処理を終了する。これにより着霜回避運転が終了する。次いで、制御装置４０は、Ｓ４４にて電磁開閉弁５１を閉作動し（Ｓ４４）、さらに流量調整弁５２を全閉作動させる（Ｓ４５）。その後、制御装置４０は、このルーチンを終了する。
【００６５】
上記した着霜回避運転終了判断処理の実行により、デフロスト温度Ｔｄｅｆが着霜回避終了温度Ｔｓ以上にまで高められたとき、或いは着霜回避運転制御処理の実行時間が設定時間τ２ｔｈを経過したときに、着霜回避運転が終了する。なお、デフロスト温度Ｔｄｅｆが十分に高められた場合、室外熱交換器１３を流れる冷媒の温度が外気温度よりも高くなる可能性が高いため、室外熱交換器１３を流れる冷媒が外気から熱を奪うことができない。この場合、分岐流量調整弁３７ａの開度を増加させて、分岐配管３７に流れる冷媒流量を増加させる。分岐配管３７にはサブ熱交換器１４が介装されているので、分岐配管３７を流れる冷媒はサブ熱交換器１４にてエンジン冷却水と熱交換して蒸発される。このようにして、サブ熱交換器１４を室外熱交換器１３の代わりとして用いることで、冷媒を蒸発させることができ、それにより、室外熱交換器１３の暖房効率の低下を補うことができる。
【００６６】
このように、本実施形態に係る空気調和装置１によれば、着霜回避運転が実施された場合に、室外熱交換器１３を流れる冷媒の温度（デフロスト温度Ｔｄｅｆ）が低いほどバイパス配管３８を流れる冷媒流量が多くなるように弁装置（電磁開閉弁５１、流量調整弁５２）が制御される。これにより、室外熱交換器１３への着霜が回避され、或いは室外熱交換器１３に僅かに付着した霜が除去される。また、着霜回避運転時にバイパス配管３８に流すガス冷媒の流量を、デフロスト温度Ｔｄｅｆに応じて調整することで、最小限に抑えることができる。このため、さほど暖房効率を低下させることがなく、室外熱交換器１３への着霜を回避することができる。
【００６７】
また、上記した着霜回避運転は、実際に室外熱交換器１３に着霜したことを確認したときではなく、室外熱交換器１３に将来的に着霜すると予測される場合、具体的にはデフロスト温度Ｔｄｅｆが着霜回避基準温度Ｔ０未満である状態が所定時間継続したときに、開始される。従って、着霜回避運転の開始時には、室外熱交換器１３には未だ着霜していないか、或いは僅かに着霜していると考えられる。つまり、本実施形態に係る着霜回避運転は、室外熱交換器１３に多量に付着した霜を一気に取り除くような除霜運転ではなく、室外熱交換器１３に着霜していないか或いは僅かに着霜した状態において冷媒回路内の冷媒の温度を上昇させるための運転であるので、通常の除霜運転に比較して短時間で終了する。このため暖房運転の効率を低下させるような運転を行っている時間の短縮化を図ることができ、その結果、暖房運転時における快適性を確保することができる。
【００６８】
以上、本発明の実施形態について説明したが、本発明は、上記実施形態に限定されるべきものではない。例えば、上記実施形態にて示した各温度の値及び各時間の値は、状況に応じて適宜設定することができる。このように、本発明は、その趣旨を逸脱しない限りにおいて、変形可能である。
【符号の説明】
【００６９】
１…空気調和装置、１１…圧縮機、１１ａ…吸入口、１１ｂ…吐出口、１２…四方弁、１２ａ…第一ポート、１２ｂ…第二ポート、１２ｃ…第三ポート、１２ｄ…第四ポート、１３…室外熱交換器、１４…サブ熱交換器、１５…アキュムレータ、１６…室外側電子膨張弁、１７…室内熱交換器、１８…室内側電子膨張弁、２０…エンジン、３１…第一配管、３２…第二配管、３３…第三配管、３４…中間配管、３５…アキュムレータ入口配管、３６…アキュムレータ出口配管、３７…分岐配管、３８…バイパス配管、３８１…第一バイパス配管、３８２…第二バイパス配管、４０…制御装置、５１…電磁開閉弁（開閉弁）、５２…流量調整弁、６１…第一温度センサ（冷媒温度センサ）、６２…第二温度センサ（冷媒温度センサ）、６３…外気温センサ、Ｔ０…着霜回避基準温度、Ｔｄｅｆ…デフロスト温度、Ｔｏｕｔ…外気温度、Ｔｓ…着霜回避終了温度、τ１ｔｈ…閾値時間（所定時間）、τ２ｔｈ…設定時間
【図１】
2020176732.tif 000003
【図２】
2020176732.tif 000004
【図３】
2020176732.tif 000005
【図４】
2020176732.tif 000006
【図５】
2020176732.tif 000007